(57)【要約】【課題】いわゆるポンピング現象を有効に防止し、しかも、レンズ鏡筒の外観および機械的強度を損なわず、低コストで軽量なレンズ鏡筒およびカメラを提供すること。【解決手段】第１光学部品６ａと、第１光学部品６ａを光軸方向に移動可能に保持する保持用筒体８と、保持用筒体８と連結される操作用筒体１０と、を有するレンズ鏡筒２である。保持用筒体８の内部であって、第１光学部品６ａの前面には、第１光学部品６ａの移動により容積が変化する容積変化空間２０が形成してある。保持用筒体８と前記操作用筒体１０との連結部には、これらのリングの外部に連通する隙間空間３４が形成してあり、保持用筒体８には、容積変化空間２０と隙間空間３４とを連通する連通孔３６が形成してある。【選択図】図２
2008070568.tif 000002
【特許請求の範囲】
【請求項１】
第１光学部品と、
当該第１光学部品を光軸方向に移動可能に保持する保持用筒体と、
前記保持用筒体と連結される操作用筒体と、を有するレンズ鏡筒であって、
前記保持用筒体の内部であって、
前記第１光学部品の前面には、当該第１光学部品の移動により容積が変化する容積変化空間が形成してあり、
前記保持用筒体と前記操作用筒体との連結部には、これらの筒体の外部に連通する隙間空間が形成してあり、
前記保持用筒体には、前記容積変化空間と前記隙間空間とを連通する連通孔が形成してあることを特徴とするレンズ鏡筒。
【請求項２】
前記連通孔は、前記第１光学部品の光軸方向に沿って略平行に形成してある請求項１に記載のレンズ鏡筒。
【請求項３】
前記連通孔における前記容積変化空間への入口開口部は、前記保持用筒体に取り付けられた化粧板により隠れている請求項１または２に記載のレンズ鏡筒。
【請求項４】
前記保持用筒体と前記操作用筒体との連結部には、前記隙間空間が前記保持用筒体の内部および前記操作用筒体の内部と連通することを防止するシール部材が装着してある請求項１〜３のいずれかに記載のレンズ鏡筒。
【請求項５】
前記保持用筒体は、第２光学部品を取り付けるためのアタッチメントリングである請求項１〜４のいずれかに記載のレンズ鏡筒。
【請求項６】
前記保持用筒体には、第２光学部品が着脱自在に取り付けられ、前記第１光学部品と第２光学部品との間に、前記容積変化空間が形成される請求項１〜５のいずれかに記載のレンズ鏡筒。
【請求項７】
前記第１光学部品が光軸方向に複数配置され、最も物体側に位置する第１光学部品の前面に前記容積変化空間が形成してある請求項１〜６のいずれかに記載のレンズ鏡筒。
【請求項８】
請求項１〜７のいずれかに記載のレンズ鏡筒を有するカメラ。
【発明の詳細な説明】
【技術分野】
【０００１】
本発明は、レンズ鏡筒およびカメラに関する。
【背景技術】
【０００２】
たとえば下記の特許文献１に示すように、レンズ鏡筒において、最も物体側に位置するレンズの前面に、フィルタを取り付ける場合がある。レンズ鏡筒内において、レンズ群は、フォーカシングを行うために、光軸方向に移動する。
【０００３】
そのため、最も物体側に位置するレンズの前面に、フィルタを取り付けると、そのレンズとフィルタとの間の空間は、レンズの移動により容積変化を引き起こされ、いわゆるポンピング現象が生じる。ポンピング時には、容積変化に伴って生じる圧力により、レンズのスムーズな移動が阻害されるおそれがある。
【０００４】
その解決策として、移動するレンズの外周に装着してある防滴シール部材の周方向一部を切り欠くなどの手段も考えられる。しかしながら、その場合には、防滴シール部材の切り欠き部から水滴などがレンズの内側に入り込むおそれがあり、防滴効果が低下するという問題がある。
【０００５】
そこで、下記の特許文献１に示す技術では、レンズを保持する保持用筒体に、貫通孔を設け、その貫通孔を通して、レンズとフィルタとの間の空間を外部と連通させ、その空間が密閉されないようにすることにより、ポンピング現象を防止している。また、その貫通孔がレンズ鏡筒の外観に悪影響を与えないように、貫通穴が形成してある部分には、リング状の蓋部材を取り付けている。
【０００６】
しかしながら、レンズ鏡筒の種類によっては、製造コストや軽量化などの要請から、レンズ鏡筒の外周部にリング状の蓋部材を設けることができない場合がある。そのような場合には、レンズ鏡筒の外部から貫通孔が見えてしまい、レンズ鏡筒の外観品質を低下させるおそれがある。
【０００７】
また、レンズ鏡筒の外部から見える貫通孔では、その貫通孔を通して、ゴミなどが侵入するおそれがある。また、貫通穴の形成により、レンズ鏡筒の強度が低下するおそれがある。
【特許文献１】特開２００４−１７０６８８号公報
【発明の開示】
【発明が解決しようとする課題】
【０００８】
本発明は、このような実状に鑑みてなされ、その目的は、いわゆるポンピング現象を有効に防止し、しかも、レンズ鏡筒の外観および機械的強度を損なわず、低コストで軽量なレンズ鏡筒およびカメラを提供することである。
【課題を解決するための手段】
【０００９】
上記目的を達成するために、本発明に係るレンズ鏡筒は、
第１光学部品と、
当該第１光学部品を光軸方向に移動可能に保持する保持用筒体と、
前記保持用筒体と連結される操作用筒体と、を有するレンズ鏡筒であって、
前記保持用筒体の内部であって、
前記第１光学部品の前面には、当該第１光学部品の移動により容積が変化する容積変化空間が形成してあり、
前記保持用筒体と前記操作用筒体との連結部には、これらの筒体の外部に連通する隙間空間が形成してあり、
前記保持用筒体には、前記容積変化空間と前記隙間空間とを連通する連通孔が形成してある。
【００１０】
本発明に係るレンズ鏡筒では、レンズなどの光学部品の移動により容積変化空間の容積変化が生じたとしても、連通孔および隙間空間を通して、容積変化空間内の空気は、外部と連通する。そのため、ポンピング現象に基づく光学部品の移動阻害を有効に防止することができる。
【００１１】
しかも本発明では、移動する光学部品の外周に装着してある防滴シール部材の周方向一部を切り欠くことがないので、防滴シール部材の切り欠き部から水滴などがレンズの内側に入り込むこともなく、防滴効果に優れている。
【００１２】
さらに本発明では、レンズ鏡筒に元々存在する保持用筒体と操作用筒体との連結部の隙間空間を利用し、外部には露出しない連通孔を介して、外部と容積変化空間とを連通している。そのため、レンズ鏡筒の外部からは、連通孔が見えず、レンズ鏡筒の外観に悪影響を与えることもない。
【００１３】
また、保持用筒体と操作用筒体との連結部の隙間空間は、周方向に連続して存在するために、軸方向の隙間間隔は、それほど大きくなくとも、十分な量の空気を通過させることができる。したがって、外部に露出する貫通穴を開ける従来例に比較して、本発明のレンズ鏡筒では、その隙間空間を通して外部からゴミなどが入りにくく、しかも外部に露出する貫通穴を開けないので、レンズ鏡筒の機械的強度的も低下しない。
【００１４】
さらにまた、本発明では、外部に露出する貫通穴を開けて、さらにその貫通孔を隠すようにリング状の蓋部材を設ける従来例に比較して、リング状の蓋部材を必要とすることがないため、製造コスト的に有利であると共に、軽量化を図れる。
【００１５】
好ましくは、前記連通孔は、前記第１光学部品の光軸方向に沿って略平行に形成してある。このように構成することで、保持用筒体と操作用筒体との連結部の隙間空間と容積変化空間とを最短で連通させることができる。連通孔は、周方向に沿って単一で形成しても良いが、好ましくは、周方向に沿って略等間隔に複数形成することが好ましい。複数個で連通孔を形成することで、一つ一つの連通孔の流路断面を小さくすることができ、機械的強度の向上を図ることができる。
【００１６】
好ましくは、前記連通孔における前記容積変化空間への入口開口部は、前記保持用筒体に取り付けられた化粧板により隠れている。連通孔における容積変化空間への入口開口部が、化粧板により隠れることで、たとえば容積変化空間の前面に取り付けられたフィルタを通しても、連通孔が見えることが無くなり、さらに見栄えが良くなる。
【００１７】
好ましくは、前記保持用筒体と前記操作用筒体との連結部には、前記隙間空間が前記保持用筒体の内部および前記操作用筒体の内部と連通することを防止するシール部材が装着してある。そのシール部材は、防滴シール部材として機能し、操作用筒体の内部に水滴などが入り込むことを有効に防止することができる。
【００１８】
好ましくは、前記保持用筒体は、第２光学部品を取り付けるためのアタッチメントリングである。また、好ましくは、前記保持用筒体には、第２光学部品が着脱自在に取り付けられ、前記第１光学部品と第２光学部品との間に、前記容積変化空間が形成される。着脱自在に取り付けられる第２光学部品としては、特に限定されないが、保護フィルタ、偏光フィルタなどが例示される。操作用筒体としては、ズーミングを行うためのズームリング、フォーカスを合わせるためのフォーカスリングなどが例示される。
【００１９】
好ましくは、前記第１光学部品が光軸方向に複数配置され、最も物体側に位置する第１光学部品の前面に前記容積変化空間が形成してある。第１光学部品は、通常、光軸方向に複数配置され、第１光学部品の相互間は、外部から水分、ゴミや埃などが入り込まないように、外部とは連通しないように構成してある。最も物体側に位置する第１光学部品の前面は、清掃などがしやすいので、その前面に位置する容積変化空間は、外部と連通してあっても良い。
【００２０】
本発明に係るカメラは、上記のいずれかに記載のレンズ鏡筒を有するカメラである。
【発明を実施するための最良の形態】
【００２１】
以下、本発明を、図面に示す実施形態に基づき説明する。
図１は本発明の一実施形態に係るレンズ鏡筒の断面図、
図２は図１に示すII部の要部拡大断面図である。
【００２２】
図１に示すように、本発明の一実施形態に係るレンズ鏡筒２は、たとえば図示省略してある一眼レフカメラ（フィルム現像タイプおよび光電変換タイプの双方を含む）のレンズ装着部に着脱自在に取り付けられるマウント部４を有する。レンズ鏡筒２は、複数のレンズ６ａ〜６ｅを含むレンズ群６などで構成される第１光学部品を、ズーミング動作動作により光軸Ｚ方向に移動可能に保持するアタッチメントリング８を有する。
【００２３】
アタッチメントリング８には、操作用筒体の一例としてのズームリング１０が回転自在に連結してある。ズームリング１０を回転操作することで、その操作力がカム機構などに伝達し、レンズ群６を光軸Ｚ方向に移動可能に構成してある。
【００２４】
アタッチメントリング８の光軸Ｚ方向前面側（撮像すべき物体側）には、第２光学部品としての光学フィルタ１２が固定してあるフィルタ枠１４が着脱自在に取り付けられる。この実施形態では、光学フィルタ１２が固定してあるフィルタ枠１４は、アタッチメントリング８の光軸Ｚ方向前面側の外側内周面８ａに形成してある雌ネジ部に対して、フィルタ枠１４の外周面に形成してある雄ネジ部が螺合して、着脱自在に取り付けられる。
【００２５】
光学フィルタ１２が固定してあるフィルタ枠１４がアタッチメントリング８に対して取り付けられた状態で、光学フィルタ１２は、アタッチメントリング８に対して軸方向に移動しない。それに対して、複数のレンズ６ａ〜６ｅを含むレンズ群６は、アタッチメントリング８に対して、光軸Ｚ方向に移動可能である。すなわち、アタッチメントリング８の内部で、レンズ群６のうち、最も物体側に位置するレンズ６ａの前面と、光学フィルタ１２との間には、レンズ６ａの移動により容積が変化する容積変化空間２０が形成される。
【００２６】
なお、光学フィルタ１２としては、特に限定されないが、ＵＶカットフィルタなどの保護フィルタ、偏光フィルタなどが例示される。
【００２７】
図１に示すように、レンズ群６は、レンズ枠２２により保持され、図２に示すように、レンズ枠２２の外周面には、防滴シール部材２４が装着してある。防滴シール部材２４は、アタッチメントリング８における内側内周面８ｂを、レンズ群６の光軸方向に滑動移動しながら、アタッチメントリング８の内側内周面８ｂとレンズ枠２２との間を密封し、容積変化空間２０からの水分や埃などがレンズ内空間２６内に入り込まないようにしてある。
【００２８】
アタッチメントリング８の内部であって、内側内周面８ｂと外側内周面８ａとを結ぶ光軸に対して略垂直なリング状平面８ｃには、リング状化粧板３０が装着してある。リング状化粧板３０の外表面には、たとえばレンズのｆ値、レンズ名称などのレンズ鏡筒に関する情報が表示してある。これらの表示情報は、光学フィルタ１２を通して、操作者が見ることができる。
【００２９】
リング状化粧板３０において、光学フィルタ１２を通しても見えない位置である化粧板３０の外周側の一部には、切り欠き３２が形成してあり、容積変化空間２０と化粧板３０の内側とを連通してある。切り欠き３２は、一カ所でも良いが、好ましくは、化粧板３０の円周方向に沿って所定間隔で複数位置に形成してある。
【００３０】
化粧板３０の内側であって、アタッチメントリング８のリング状平面８ｃには、連通孔３６の入口開口部３６ａが形成してある。連通孔３６の出口開口部３６ｂは、アタッチメントリング８とズームリング１０との連結部に形成された隙間空間３４に連通してある。
【００３１】
この隙間空間３４は、リング状に形成され、アタッチメントリング８とズームリング１０との外側隙間３４ａを通して、レンズ鏡筒２の外部に連通している。好ましくは、外側隙間３４ａは、それより内部に存在する隙間空間３４よりも狭く形成してある。
【００３２】
隙間空間３４の内周側で、ズームリング１０の内周とアタッチメントリング８の外周との隙間４２には、シールリング４０が装着してあり、外部に連通してある隙間空間３４から鏡筒２の内部空間に水分や埃などが進入することを防止している。
【００３３】
連通孔３６は、好ましくは図１に示すレンズ群６の光軸方向と略平行に形成してあり、アタッチメントリング８の円周方向に所定間隔で複数位置に形成してある。すべての連通孔３６の入口開口部３６ａは、化粧板３０に隠れてあり、光学フィルタ１２を通しても外部から見えることはなく、切り欠き３２を通して、容積変化空間２０と隙間空間３４とを連通してある。連通孔３６の断面形状は、特に限定されず、円形、矩形、円弧形などが例示される。
【００３４】
本実施形態に係るレンズ鏡筒２では、レンズ群６の移動により容積変化空間２０の容積変化が生じたとしても、切り欠き３２、連通孔３６および隙間空間３４を通して、容積変化空間２０内の空気は、外部と連通する。そのため、ポンピング現象を有効に防止することができ、レンズ群６のスムーズな移動を有効に確保することができる。
【００３５】
しかも本発明では、移動するレンズ群６の外周に装着してある防滴シール部材２４の周方向一部を切り欠くことがないので、防滴シール部材２４の切り欠き部から水滴などがレンズ群６の内側に入り込むこともなく、防滴効果に優れている。
【００３６】
さらに本実施形態では、レンズ鏡筒２に元々存在するアタッチメントリング８とズームリング１０との連結部の隙間空間３４を利用し、外部には露出しない連通孔３６を介して、外部と容積変化空間２０とを連通している。そのため、レンズ鏡筒２の外部からは、連通孔３６が見えず、レンズ鏡筒２の外観に悪影響を与えることもない。
【００３７】
また、アタッチメントリング８とズームリング１０との連結部の隙間空間３４は、周方向に連続して存在するために、軸方向の隙間間隔は、それほど大きくなくとも、十分な量の空気を通過させることができる。したがって、外部に露出する貫通穴を開ける従来例に比較して、本実施形態のレンズ鏡筒２では、その隙間空間３４を通して外部からゴミなどが入りにくく、しかも外部に露出する貫通穴を開けないので、レンズ鏡筒２の機械的強度的も低下しない。
【００３８】
さらにまた、本実施形態では、外部に露出する貫通穴を開けて、さらにその貫通孔を隠すようにリング状の蓋部材を設ける従来例に比較して、リング状の蓋部材を必要とすることがないため、製造コスト的に有利であると共に、軽量化を図れる。
【００３９】
また、レンズ鏡筒の外径が大きくなり、それに伴って容積変化空間の容積変化が大きくなったときは、ポンピング現象を低減させる本実施例の効果が一層顕著にあらわれる。たとえば、レンズ鏡筒の外径が大きくなり容積変化空間の容積変化が大きくなったときは、連通孔の有効径を大きくするか、連通孔の数を増すことが好ましい。
【００４０】
なお、本発明は、上述した実施形態に限定されるものではなく、本発明の範囲内で種々に改変することができる。
【００４１】
たとえば、本発明に係るレンズ鏡筒は、一眼レフカメラなどに着脱自在に取り付けられるレンズ鏡筒に限定されず、ビデオカメラを含むその他のカメラ、その他の光学機器に着脱自在に取り付けられるレンズ鏡筒、あるいは着脱不可に一体的に装着されたカメラ構造の一部であっても良い。
【００４２】
また、上述した実施形態では、焦点距離１２ｍｍ〜２４ｍｍ程度のレンズ鏡筒を用いて説明したが、望遠、標準、広角のいずれのレンズ鏡筒にも適用し得る。上述した実施形態では、ズームリングを操作用筒体とした例を示したが、たとえば、単焦点のマイクロレンズ鏡筒では、フォーカスリングを操作用筒体とすることもできる。
【図面の簡単な説明】
【００４３】
【図１】図１は本発明の一実施形態に係るレンズ鏡筒の断面図である。
【図２】図２は図１に示すII部の要部拡大断面図である。
【符号の説明】
【００４４】
２…  レンズ鏡筒
６…  レンズ群（第１光学部品）
８…  アタッチメントリング（保持用筒体）
１０…  ズームリング（操作用筒対）
１２…  光学フィルタ（第２光学部品）
２０…  容積変化空間
２４…  防滴シール部材
３０…  リング状化粧板
３２…  切り欠き
３４…  隙間空間
３６…  連通孔
３６ａ…  入口開口部
３６ｂ…  出口開口部
４０…  シールリング
【図１】
2008070568.tif 000003
【図２】
2008070568.tif 000004